(57)【特許請求の範囲】
【請求項１】
コネクタであって、前記コネクタは、プラグコア、プラグコアホルダ、制限スリーブ、バネ、後部リテーナ、および封止リングを備え、
前記制限スリーブは、収容キャビティ、第１のジャック、前記第１のジャックに対向する第２のジャック、および少なくとも１つの制限弾性プレートを有し、前記第１のジャックおよび前記第２のジャックの両方は、前記収容キャビティに通じ、前記少なくとも１つの制限弾性プレートは、前記第２のジャックの縁に配され、前記制限スリーブの軸に平行な方向に延在し、前記封止リングは、前記制限スリーブの、前記第２のジャックが配された一方の端を被覆し、
前記制限スリーブの一方の端が、差し込み方式で前記プラグコアホルダに接続され、前記バネおよび前記後部リテーナは、前記プラグコアを被覆し、前記プラグコアは、前記プラグコアホルダおよび前記収容キャビティを通り抜け、前記第２のジャックから突出し、前記バネと前記後部リテーナの一部とが前記収容キャビティの中に位置付けられ、前記バネは、前記後部リテーナと前記収容キャビティとを接続し、前記少なくとも１つの制限弾性プレートは、前記後部リテーナに対してクランプされる、コネクタ。
【請求項２】
前記収容キャビティの内周表面に当接フランジが配され、前記後部リテーナの一方の端の外周表面にボスが配され、前記バネの２つの端部は別々に、前記ボスおよび前記当接フランジに当接する、請求項１に記載のコネクタ。
【請求項３】
前記プラグコアは、接続体と、前記接続体の一方の端に位置付けられたヘッドとを含み、前記後部リテーナは前記プラグコアを被覆し、前記後部リテーナの、前記ボスが配された前記端は、前記ヘッドと前記接続体との間の接合部に位置付けられる、請求項２に記載のコネクタ。
【請求項４】
２つの制限弾性プレートが存在し、前記制限弾性プレートの自由端にフックが配され、前記後部リテーナの前記ボスに、前記フックに適応可能なクランプ隆起またはスロットが配される、請求項２に記載のコネクタ。
【請求項５】
前記プラグコアホルダは、外側封止スリーブおよび内側圧着リングを含み、前記内側圧着リングは、前記外側封止スリーブの内周表面に密着することによって配され、前記内側圧着リングの軸方向長さは、前記外側封止スリーブの軸方向長さより短い、請求項１から４のいずれか一項に記載のコネクタ。
【請求項６】
光ファイバコネクタ組立体であって、前記光ファイバコネクタ組立体は、プラグ保護キャップと、請求項１から５のいずれか一項に記載のコネクタとを備え、前記プラグ保護キャップは、本体、接続スリーブ、および牽引スタブを有し、前記本体に収容キャビティが配され、前記本体の一方の端の端面に、前記収容キャビティに通じる入口が配され、前記収容キャビティの内周表面の、前記入口の付近の位置にロック部が配され、前記接続スリーブの一方の端が、前記本体の、前記入口から離れた一方の端を着脱可能に被覆し、前記接続スリーブの他方の端は、前記牽引スタブの一方の端に回転可能に接続され、
前記プラグ保護キャップは、前記制限スリーブの、前記第２のジャックが配された前記端を被覆し、前記ロック部によって前記制限スリーブにロックされ、前記収容キャビティは、前記プラグコアの、前記第２のジャックから突出した部分を収容し、前記封止リングは、前記制限スリーブおよび前記プラグ保護キャップを封止するために使用される、光ファイバコネクタ組立体。
【請求項７】
前記接続スリーブの両端に開口が配され、前記開口のうちの一方の開口の内周表面に第１の内側ネジ山が配され、前記本体の、前記入口から離れた前記端の外周表面に、前記第１の内側ネジ山に接続される第１の外側ネジ山が配される、請求項６に記載の光ファイバコネクタ組立体。
【請求項８】
前記牽引スタブの前記一方の端の外周表面に第１のフランジが配され、前記接続スリーブの、前記第１の内側ネジ山から離れた他方の開口の内周表面に第２のフランジが配され、前記第１のフランジは、前記第２のフランジに対してクランプされ、前記第１のフランジは、前記第２のフランジに対して回転できる、請求項７に記載の光ファイバコネクタ組立体。
【請求項９】
前記牽引スタブは柱状体であり、前記牽引スタブの、前記第１のフランジから離れた一方の端は尖り部であり、前記第１のフランジが配された前記端の内部に溝が配される、請求項８に記載の光ファイバコネクタ組立体。
【請求項１０】
前記制限スリーブの、前記第２のジャックが配された前記端の外周表面に、前記ロック部に対応する篏合部が配され、前記篏合部は、外側ネジ山、スロット、フック、および溝のうちの１つである、請求項６から９のいずれか一項に記載の光ファイバコネクタ組立体。
【請求項１１】
ファイバプラグであって、前記ファイバプラグは、コネクタハウジングと、請求項１から５のいずれか一項に記載のコネクタとを備え、前記コネクタハウジングの一方の端に開口部が配され、
前記制限スリーブの、前記第２のジャックが配された前記端は、前記開口部を通って前記コネクタハウジングに差し込まれる、ファイバプラグ。
【請求項１２】
前記コネクタハウジングの内部にキャビティが形成され、前記コネクタハウジングの一方の端は前記開口部であり、他方の端は貫通穴であり、前記開口部および前記貫通穴の両方は、前記キャビティに通じ、前記キャビティの内周表面に溝が配され、前記溝は、前記制限スリーブを被覆する前記封止リングを収容するために使用される、請求項１１に記載のファイバプラグ。
【請求項１３】
前記コネクタハウジングの、前記貫通穴が配された前記端に、保護部が配される、請求項１２に記載のファイバプラグ。
【請求項１４】
前記制限スリーブの前記収容キャビティの内周表面に篏合部が配され、前記篏合部は、外側ネジ山、スロット、フックおよび溝のうちの１つであり、前記篏合部は、前記コネクタハウジングの前記キャビティと嵌め合い得る、請求項１２または１３に記載のファイバプラグ。
【請求項１５】
請求項１１から１４のいずれか一項に記載のファイバプラグと、ファイバジャックを有するアダプタとを備えるネットワークデバイスであって、前記ファイバプラグのプラグコアは、前記アダプタの前記ファイバジャックに差し込み方式で接続される、ネットワークデバイス。
【請求項１６】
プラグ保護キャップであって、前記プラグ保護キャップは、本体、接続スリーブ、および牽引スタブを備え、前記本体に収容キャビティが配され、前記本体の一方の端の端面に、前記収容キャビティに通じる入口が配され、前記収容キャビティの内周表面の、前記入口の付近の位置にロック部が配され、前記接続スリーブの一方の端が、前記本体の、前記入口から離れた一方の端を着脱可能に被覆し、前記接続スリーブの他方の端は、前記牽引スタブの一方の端に回転可能に接続され、
前記接続スリーブの両端に開口が配され、前記開口のうちの一方の開口の内周表面に第１の内側ネジ山が配され、前記本体の、前記入口から離れた前記端の外周表面に、前記第１の内側ネジ山に接続される第１の外側ネジ山が配され、
前記牽引スタブの前記一方の端の外周表面に第１のフランジが配され、前記接続スリーブの、前記第１の内側ネジ山から離れた他方の開口の内周表面に第２のフランジが配され、前記第１のフランジは、前記第２のフランジに対してクランプされ、前記第１のフランジは、前記第２のフランジに対して回転できる、プラグ保護キャップ。
【請求項１７】
前記牽引スタブは柱状体であり、前記牽引スタブの、前記第１のフランジから離れた一方の端は尖り部であり、前記第１のフランジが配された前記端の内部に溝が配される、請求項１６に記載のプラグ保護キャップ。
【請求項１８】
前記本体は、一方の端が開き、他方の端が閉じられ、段々状のパターンを有するよう設計された中空の柱状体であり、前記入口が配された前記端の外周は、前記第１の外側ネジ山が配された前記端の外周より大きい、請求項１６または１７に記載のプラグ保護キャップ。
【発明の詳細な説明】
【技術分野】
【０００１】
本発明は、プラグ保護キャップ、光ファイバコネクタ組立体、ファイバプラグ、およびネットワークデバイスに関する。
【背景技術】
【０００２】
世界中における光通信の急速な発展に伴い、光通信の適用は、バックボーンネットワークから非バックボーンネットワークおよびアクセスネットワークへと広がり続けている。光ファイバ通信リンクでは、異なるモジュール間、デバイス間、およびシステム間の柔軟な接続の要件を満たすために、ファイバ間での着脱可能な接続を実行すべく、接続部品が必要である。このようにして、必要な経路に沿って光経路が伝送を実行でき、これにより、予め決められた、または予期された目的および要件を実現し完成させる。ゆえに、光通信において必須の接続部として、光ファイバ組立体が広く使用される。
【０００３】
従来技術では、ファイバのドロップ側の光ファイバコネクタを屋外のファイバに接続するために使用される一般的な接続方式は、現場での接合である。しかしながら、当該接続方式は、保護レベルの低いものであり、ファイバの屋外のルーティングには好ましくない。屋外のルーティングに適合させるべく、従来技術で一般に使用される接続方式は、光ファイバ組立体を事前に作成するというものである。プラグコア組立体、バネ、およびバネ基部などのパーツが、その外形寸法が組立体ハウジングより小さいファイバ組立体へと組み立てられ、これにより、ファイバ組立体は細長いパイプラインを通り抜けることができ、細長いパイプラインを通り抜けた後、ファイバ組立体は、その場で迅速に組立体ハウジングへと組み立てられ得る。しかしながら、この接続方式において、パイプラインを通り抜けるとき、ファイバ組立体はねじれに耐え得るほど強くなく、損傷を受けやすい。加えて、ファイバ組立体はパイプラインを通り抜ける過程で十分には保護されておらず、プラグコアのヘッドに防塵キャップがあるのみであり、他の保護は与えられていない。ゆえに、ファイバ組立体は、沈泥および浸水などの屋外の極端なパイプライン環境には適さない。
【発明の概要】
【０００４】
本発明は、ねじれ耐性があり、かつ、家までパイプラインを通り抜ける過程で、ファイバコネクタを保護し、ファイバコネクタの汚染および損傷を防ぐために使用されるプラグ保護キャップを提供することを目標とする。
【０００５】
本発明はさらに、ファイバプラグおよびネットワークデバイスを提供する。
【０００６】
第１態様によると、本発明はプラグ保護キャップを提供する、当該保護キャップは、本体、接続スリーブ、および牽引スタブを備え、本体に収容キャビティが配され、本体の一方の端の端面に、収容キャビティに通じる入口が配され、収容キャビティの内周表面の、入口の付近の位置にロック部が配され、接続スリーブの一方の端が、本体の、入口から離れた一方の端を着脱可能に被覆し、接続スリーブの他方の端は、牽引スタブの一方の端に回転可能に接続される。
【０００７】
第１の考えられる実現方式において、接続スリーブの２つの対向する端に開口が配され、開口のうちの一方の開口の内周表面に第１の内側ネジ山が配され、本体の、入口から離れた端は接続セクションであり、本体の、入口から離れた端の外周表面に、第１の内側ネジ山に接続される第１の外側ネジ山が配される。
【０００８】
第１の考えられる実現方式に関連して、第２の考えられる実現方式において、牽引スタブの一方の端の外周表面に第１のフランジが配され、接続スリーブの、第１の内側ネジ山から離れた他方の開口の内周表面に第２のフランジが配され、第１のフランジは第２のフランジに対してクランプされ、第１のフランジは、第２のフランジに対して回転できる。
【０００９】
第２の考えられる実現方式に関連して、第３の考えられる実現方式において、牽引スタブは柱状体であり、牽引スタブの、第１のフランジから離れた一方の端は尖り部であり、第１のフランジが配された端の内部に溝が配される。
【００１０】
第１態様、または第１態様の第１から第３の考えられる実現方式に関連して、第４の考えられる実現方式において、ロック部は、内側ネジ山、フック、スロット、および弾性隆起のうちの１つである。
【００１１】
第１態様、または第１態様の第１から第３の考えられる実現方式に関連して、第５の考えられる実現方式において、本体は、一方の端が開き、他方の端が閉じられ、段々状のパターンを有するよう設計された中空の柱状体であり、入口が配された端の外周の寸法は、本体の、入口から離れた端の外周の寸法より大きい。
【００１２】
第１態様、または第１態様の第１から第３の考えられる実現方式に関連して、第６の考えられる実現方式において、牽引スタブに貫通穴がさらに配される。
【００１３】
第２態様によると、本発明は光ファイバコネクタ組立体を提供する。当該光ファイバコネクタ組立体は、コネクタと、第１態様、および第１態様のいずれか１つの考えられる実現方式に係るプラグ保護キャップとを備え、コネクタは、プラグコア、プラグコアホルダ、制限スリーブ、バネ、後部リテーナ、および封止リングを有し、制限スリーブは、収容キャビティ、第１のジャック、第１のジャックに対向する第２のジャック、および少なくとも１つの制限弾性プレートを含み、第１のジャックおよび第２のジャックの両方は、収容キャビティに通じ、少なくとも１つの制限弾性プレートは、第２のジャックの縁に配され、制限スリーブの軸に平行な方向に延在し、封止リングは、制限スリーブの、第２のジャックが配された一方の端を被覆し、制限スリーブの一方の端が差し込み方式でプラグコアホルダに接続され、バネおよび後部リテーナは、プラグコアを被覆し、プラグコアは、プラグコアホルダおよび収容キャビティを通り抜け、第２のジャックから突出し、バネと後部リテーナの一部とが収容キャビティの中に位置付けられ、バネは、後部リテーナと収容キャビティとを接続し、少なくとも１つの制限弾性プレートは、後部リテーナに対してクランプされ、プラグ保護キャップは、制限スリーブの、第２のジャックが配された端を被覆し、ロック部によって制限スリーブにロックされ、収容キャビティは、プラグコアの、第２のジャックから突出した部分を収容し、封止リングは、制限スリーブとプラグ保護キャップとを封止するために使用される。
【００１４】
第２態様の第１の考えられる実現方式において、制限スリーブの、第２のジャックが配された端の外周表面に、ロック部に対応する篏合部が配され、篏合部は、外側ネジ山、スロット、フック、および溝のうちの１つである。
【００１５】
第２態様、または第２態様の第１の考えられる実現方式に関連して、第２の考えられる実現方式において、収容キャビティの内周表面に当接フランジが配され、後部リテーナの一方の端の外周表面にボスが配され、バネの２つの端部は別々に、ボスおよび当接フランジに当接する。
【００１６】
第２態様の第２の考えられる実現方式に関連して、第３の考えられる実現方式において、プラグコアは、接続体と接続体の一方の端に位置付けられたヘッドとを含み、後部リテーナは、プラグコアを被覆し、後部リテーナの、ボスが配された端は、ヘッドと接続体との間の接合部に位置付けられる。
【００１７】
第２態様の第２の考えられる実現方式に関連して、第４の考えられる実現方式において、２つの制限弾性プレートが存在し、制限弾性プレートの自由端にフックが配され、後部リテーナのボスに、フックに適応可能なクランプ隆起またはスロットが配される。
【００１８】
第２態様、または第２態様の第１から第４の考えられる実現方式に関連して、第５の考えられる実現方式において、プラグコアホルダは、外側封止スリーブおよび内側圧着リングを含み、内側圧着リングは、外側封止スリーブの内周表面に密着することによって配され、内側圧着リングの軸方向長さは、外側封止スリーブの軸方向長さより短い。
【００１９】
第３態様によると、本発明はファイバプラグを提供する。当該ファイバプラグは、コネクタおよびコネクタハウジングを備え、コネクタハウジングの一方の端に開口部が配され、コネクタは、プラグコア、プラグコアホルダ、制限スリーブ、バネ、後部リテーナ、および封止リングを有し、制限スリーブは、収容キャビティ、第１のジャック、第１のジャックに対向する第２のジャック、および少なくとも１つの制限弾性プレートを含み、第１のジャックおよび第２のジャックは、収容キャビティに通じ、少なくとも１つの制限弾性プレートは、第２のジャックの縁に配され、制限スリーブの軸に平行な方向に延在し、封止リングは、制限スリーブの、第２のジャックが配された一方の端を被覆し、制限スリーブの、第１のジャックが配された一方の端が、差し込み方式でプラグコアホルダに接続され、バネおよび後部リテーナは、プラグコアを被覆し、プラグコアは、プラグコアホルダおよび収容キャビティを通り抜け、第２のジャックから突出し、バネと後部リテーナの一部とが収容キャビティの中に位置付けられ、バネは、後部リテーナと収容キャビティとを接続し、少なくとも１つの制限弾性プレートは、後部リテーナに対してクランプされ、制限スリーブの、第２のジャックが配された端は、開口部を通ってコネクタハウジングに差し込まれる。
【００２０】
第３態様の第１の考えられる実現方式において、コネクタハウジングの内部にキャビティが形成され、コネクタハウジングの一方の端は開口部であり、他方の端は貫通穴であり、開口部および貫通穴の両方は、キャビティに通じ、キャビティの内周表面に溝が配され、溝は、制限スリーブを被覆する封止リングを収容するために使用される。
【００２１】
第３態様、または第３態様の第１の考えられる実現方式に関連して、第２の考えられる実現方式において、コネクタハウジングの、貫通穴が配された端に、保護部が配される。
【００２２】
第３態様、または第３態様の第１または第２の考えられる実現方式に関連して、第３の考えられる実現方式において、収容キャビティの内周表面に当接フランジが配され、後部リテーナの一方の端の外周表面にボスが突出して配され、バネの２つの端部は別々に、ボスおよび当接フランジに当接する。
【００２３】
第３態様の第３の考えられる実現方式に関連して、第４の考えられる実現方式において、プラグコアは、接続体と、接続体の一方の端に位置付けられたヘッドとを含み、後部リテーナは、プラグコアを被覆し、後部リテーナの、ボスが配された端は、ヘッドと接続体との間の接合部に位置付けられる。
【００２４】
第３態様の第３または第４の考えられる実現方式に関連して、第５の考えられる実現方式において、２つの制限弾性プレートが存在し、制限弾性プレートの自由端にフックが配され、後部リテーナのボスに、フックに適応可能なクランプ隆起またはスロットが配される。
【００２５】
第３態様、または第３態様の第１から第４の考えられる実現方式に関連して、第６の考えられる実現方式において、プラグコアホルダは、外側封止スリーブおよび内側圧着リングを含み、内側圧着リングは、外側封止スリーブの内周表面に密着することによって配され、内側圧着リングの軸方向長さは、外側封止スリーブの軸方向長さより短い。
【００２６】
第３態様、または第３態様の第１から第４の考えられる実現方式に関連して、第７の考えられる実現方式において、制限スリーブの収容キャビティの内周表面に篏合部が配され、篏合部は、外側ネジ山、スロット、フック、および溝のうちの１つであり、篏合部は、コネクタハウジングのキャビティと嵌め合い得る。
【００２７】
第４態様によると、本発明はネットワークデバイスを提供する。当該ネットワークデバイスは、上述の考えられる実現方式のいずれか１つに係るファイバプラグと、ファイバジャックを有するアダプタとを備え、ファイバプラグのプラグコアは、アダプタのファイバジャックに差し込み方式で接続される。
【００２８】
本発明のプラグ保護キャップは、ファイバが引かれるときファイバの端のコネクタを覆う。引く過程において、プラグ保護キャップを使用することによって、迅速に引くこととコネクタの保護とが実現され、コネクタの外部汚染が防がれ、コネクタに対して高いＩＰ保護レベルが提供される。加えて、プラグ保護キャップの牽引スタブが回転可能に配され得、このことは、屋外でのファイバの直接的なルーティングと、ファイバプラグが家までパイプラインを通り抜けるというシナリオとに適している。ファイバのルーティングが完了した後、その場でプラグ保護キャップを回して外すことは極めて便利であり、操作が簡単かつ迅速である。
【図面の簡単な説明】
【００２９】
本発明の実施形態における、または従来技術における技術的解決手段をより明確に説明すべく、実施形態または従来技術を説明するために必要な添付の図面を以下で簡潔に紹介する。以下の説明における添付の図面は、本発明の一部の実施形態を示しているに過ぎず、当業者ならば、創造的な努力なく、これらの添付の図面から他の図面をさらに導き出し得ることは明らかである。
【００３０】
【図１】本発明の一実施形態に係るプラグ保護キャップの構造の概略分解図である。
【００３１】
【図２】図１に示されるプラグ保護キャップが組み立てられた後に得られるプラグ保護キャップの概略断面図である。
【００３２】
【図３】本発明に係る光ファイバコネクタ組立体の概略分解図である。
【００３３】
【図４】図３に示される光ファイバコネクタ組立体のコネクタの概略分解図である。
【００３４】
【図５】図３に示される光ファイバコネクタ組立体が組み立てられた後に得られる光ファイバコネクタ組立体の概略断面図である。
【００３５】
【図６】本発明に係るファイバプラグの概略分解図である。
【００３６】
【図７】図６に示されるコネクタヘッドの概略断面図である。
【００３７】
【図８】図６に示されるファイバプラグが組み立てられた後に得られるファイバプラグの概略断面図である。
【発明を実施するための形態】
【００３８】
本発明の実施形態における添付の図面に関連して、本発明の実施形態における技術的解決手段を以下で明確かつ完全に説明する。説明される実施形態が、本発明の実施形態の一部に過ぎず、全てではないことは明らかである。創造的な努力なく本発明の実施形態に基づいて当業者によって得られる他の全ての実施形態は、本発明の保護範囲内に当然に含まれる。
【００３９】
本発明は、光ファイバコネクタ組立体およびファイバプラグを提供する。光ファイバコネクタ組立体は、コネクタおよびプラグ保護キャップを備える。プラグ保護キャップは、家の外からファイバが家に敷設されるときにパイプラインを通り抜けるようコネクタを引き、コネクタのプラグコアを保護するために使用される。ファイバプラグは、ファイバと、ネットワークシステムのネットワークデバイスとの間の接続のために使用される。ファイバプラグは、コネクタおよびコネクタハウジングを備え、コネクタハウジングはコネクタを覆い、コネクタと共に標準的なファイバプラグを形成する。
【００４０】
図１は、ファイバコネクタのプラグ保護キャップの構造を示す。図１に示されるように、本発明のプラグ保護キャップ１０は、本体１１、接続スリーブ１３、および牽引スタブ１５を備える。本体１１に、収容キャビティ１１１が配される。本体１１の一方の端の端面に、収容キャビティ１１１に通じる入口１１２が配される。収容キャビティ１１１の、入口１１２付近の内周表面に、ロック部１１３が配される。接続スリーブ１３の一方の端は、本体１１の、入口１１２から離れた一方の端を着脱可能に被覆し、接続スリーブ１３の他方の端は、牽引スタブ１５の一方の端に回転可能に接続される。
【００４１】
さらに、本体１１は、一方の端が開き、他方の端が閉じられ、段々状のパターンを有するよう設計された中空の柱状体であり、入口が配された端の外周の寸法は、本体１１の、入口から離れた端の外周の寸法より大きい。具体的には、プラグ保護キャップ１０は、プラスチック材料で作られる。本体１１は、段々状の円筒であり、本体セクション１１４と、本体セクション１１４から延在する接続セクション１２とを有する。収容キャビティ１１３の断面は段々状になっており、入口１１２付近にある、断面の部分の直径は、接続セクション１２に位置付けられた、断面の部分の直径より大きい。入口１１２は、本体セクションの、接続セクション１２から離れた端面に配される。本体セクション１１４の外周の寸法は、接続セクション１２の外周の寸法より大きく、接続セクション１２を被覆した後、接続スリーブ１３が、接続スリーブ１３の外周表面および本体セクション１１４の外周表面と共に完全で滑らかな円筒状外周表面を形成するのに便利である。好ましくは、完全で滑らかな円筒状外周表面の周方向直径は、８ミリメータより小さいか、またはこれに等しく、完全で滑らかな円筒状外周表面は、ほとんどの標準的寸法のパイプラインを通り抜けることができ、このことは、パイプラインを通り抜ける際、さらにプラグ保護キャップ１０を助ける。
【００４２】
また、図２を参照すると、さらに、接続スリーブ１３の両端に開口１３１が配され、開口１３１のうちの一方の開口の内周表面に第１の内側ネジ山１３２が配され、本体１１の、入口１１２から離れた他方の端の外周表面に、第１の内側ネジ山１３２に接続される第１の外側ネジ山１２１が配される。具体的には、第１の外側ネジ山１２１は、接続セクション１２の外周表面に配される。接続スリーブ１３は、中空円筒である。接続スリーブの、第１の内側ネジ山１３２から離れた一方の端の外周表面に、傾斜表面１３３が配される。傾斜表面１３３は、プラグ保護キャップ１０がパイプラインを通り抜けるとき、プラグ保護キャップ１０をパイプラインにうまく差し込むのに役立つ。
【００４３】
さらに、牽引スタブ１５の一方の端の外周表面に、第１のフランジ１５１が配され、接続スリーブ１３の、第１の内側ネジ山１３２から離れた他方の開口１３１の内周表面に、第２のフランジ１３５が配され、第１のフランジ１５１は、第２のフランジ１３５に対してクランプされ、第２のフランジ１３５に対して回転する。またさらに、牽引スタブ１５は柱状体であり、牽引スタブ１５の、第１のフランジ１５１から離れた一方の端は尖り部１５３であり、第１のフランジ１５１が配された端部の内部に、溝１５５が配される。牽引スタブ１５の尖り部１５３に、貫通穴１５６が配される。
【００４４】
具体的には、牽引スタブ１５は、おおよそゴムの円筒であり、第１のフランジ１５１は、牽引スタブ１５の一方の端の縁の周囲に配され、溝１５５は、この端の端面に配され、牽引スタブ１５の、第１のフランジ１５１が配された端部の歪みのための空間を提供してよく、これにより、第１のフランジ１５１は、まず接続スリーブ１３の開口１３１から接続スリーブ１３に入る。尖り部１５３は円弧状の表面であり、これにより、プラグ保護キャップ１０がパイプラインを通り抜けるとき、プラグ保護キャップ１０をパイプラインにうまく差し込むのに役立つ。貫通穴１５６は、牽引スタブ１５を貫通する貫通穴であり、牽引スリングまたは牽引棒を留めるために使用され、これにより、プラグ保護キャップ１０がパイプラインを通り抜けるとき、プラグ保護キャップ１０を引いて移動させる。
【００４５】
第２のフランジ１３５は、接続スリーブ１３の開口１３１の内周表面の周囲に配される。好ましくは、牽引スタブ１５は、接続スリーブ１３の、第１の内側ネジ山１３２が配された端から接続スリーブ１３へと取り付けられるのがよく、第１のフランジ１５１および第２のフランジ１３５は、互いにクランプされ、互いに対して回転する。ゆえに、牽引スタブ１５は、接続スリーブ１３および本体１１に対して回転できる。プラグ保護キャップ１０がパイプラインを通り抜ける過程において、プラグ保護キャップ１０は、牽引力などの外部抵抗を受けたとき、特定のねじれを生じる。最前端として使用される牽引スタブ１５は、単独で回転してねじれを相殺することができ、外部ねじれを受けて接続スリーブ１３が本体１１から切り離されるのを防止する。
【００４６】
さらに、ロック部１１３は、内側ネジ山、フック、スロット、および弾性隆起のうちの１つである。好ましくは、ロック部は内側ネジ山である。ロック部は、プラグ保護キャップをコネクタ上にロックするために使用される。
【００４７】
図３および図４を参照すると、本発明の光ファイバコネクタ組立体は、コネクタ２０とプラグ保護キャップ１０とを備える。コネクタ２０は、プラグコア２１、プラグコアホルダ２２、制限スリーブ２３、バネ２５、後部リテーナ２６、および封止リング２８を有する。制限スリーブ２３は、収容キャビティ２３１、第１のジャック２３２、第１のジャック２３２に対向する第２のジャック２３３、および少なくとも１つの制限弾性プレート２４を含む。第１のジャック２３２および第２のジャック２３３の両方は、収容キャビティ２３１に通じ、少なくとも１つの制限弾性プレート２４は、第２のジャック２３３の縁に配され、制限スリーブ２３の軸に平行な方向に延在し、封止リング２８は、制限スリーブ２３の、第２のジャック２３３が配された一方の端を被覆する。
【００４８】
制限スリーブ２３の、第１のジャック２３２が配された一方の端は、差し込み方式でプラグコアホルダ２２に接続され、バネ２５および後部リテーナ２６は、プラグコア２１を被覆し、プラグコア２１は、プラグコアホルダ２２および収容キャビティ２３１を通り抜け、第２のジャック２３３から突出する。バネ２５および後部リテーナ２６の一部は、収容キャビティ２３１の中に位置付けられ、バネ２５は、後部リテーナ２６と収容キャビティ２３１とを接続し、少なくとも１つの制限弾性プレート２４は、後部リテーナ２６に対してクランプされる。
【００４９】
プラグ保護キャップ１０は、制限スリーブ２３の、第２のジャック２３３が配される端を被覆し、ロック部１１３によって制限スリーブ２３にロックされる。収容キャビティ１１１は、プラグコア２１の、第２のジャック２３３から突出した部分を収容する。封止リング２８は、制限スリーブ２３およびプラグ保護キャップ１０を封止する。封止リング２８は、コネクタ２０とプラグ保護キャップ１０との間の封止を実現するために使用され、外部からのコネクタ２０の汚染を防止する。
【００５０】
本発明において、ファイバが引かれるとき、コネクタ２０がファイバの端部に配される。引く過程において、プラグ保護キャップ１０を使用することによって、迅速に引くこととコネクタ２０の保護とが実現され、コネクタ２０は、外部汚染から保護され、高いＩＰ保護レベルがコネクタ２０に対して提供される。加えて、プラグ保護キャップ１０は、比較的高いねじれ抵抗強度を有し、屋外でのファイバの直接的なルーティングと、ファイバプラグが家までパイプラインを通り抜けるというシナリオとに適している。ファイバのルーティングが完了した後、その場でプラグ保護キャップ１０を回して外すことは極めて便利であり、操作が簡単かつ迅速である。
【００５１】
また、図５を参照すると、さらに、制限スリーブ２３の、第２のジャック２３３が配される端の外周表面に、ロック部１１３に対応する篏合部２３４が配され、篏合部２３４は、外側ネジ山、スロット、フック、および溝のうちの１つである。好ましくは、篏合部２３４は外側ネジ山であり、ネジ山を使用することによって、その形状が内側ネジ山であるロック部１１３に接続される。
【００５２】
具体的には、制限スリーブ２３は、段々状の中空円筒であり、収容キャビティ２３１の輪郭は、制限スリーブ２３の外周表面の輪郭と同じである。制限スリーブ２３の外周表面に、第１の段２３０１が配され、第１の段２３０１は、制限スリーブ２３を第１のセクション２３０２および第２のセクション２３０３へと分割する。好ましくは、第２のセクション２３０３の直径は、第１のセクション２３０２の直径より大きい。第１のセクション２３０２の外周表面に、第２の段２３０４が配される。第１のジャック２３２は、第１のセクション２３０１の端面に配される。第２のジャック２３３は、第２のセクション２３０３の端面に配される。第１のセクション２３０２は、プラグコアホルダ２２に差し込まれ、外側ネジ山によって形成される篏合部２３４は、第２のセクション２３０３の外周表面に配される。第２のセクション２３０３は、プラグ保護キャップ１０の収容キャビティ１１１に差し込まれる。
【００５３】
さらに、プラグコアホルダ２２は、外側封止スリーブ２２１および内側圧着リング２２２を含み、内側圧着リング２２２は、外側封止スリーブ２２１の内周表面に密着することによって配され、内側圧着リング２２２の軸方向長さは、外側封止スリーブ２２１の軸方向長さより短い。外側封止スリーブ２２１および内側圧着リング２２２は、円筒状であり、同軸上に配される。内側圧着リング２２２および外側封止スリーブ２２１の両方は、制限スリーブ２３の第１のセクション２３０２を被覆し、外側封止スリーブ２２１の端部は、第１の段２３０１に当接し、内側圧着リング２２２の端部は、第２の段２３０３に当接する。
【００５４】
さらに、収容キャビティ２３１の内周表面に、当接フランジ２３１１が配され、後部リテーナ２６の一方の端の外周表面に、ボス２６１が突出して配され、バネ２５の２つの端部は別々に、ボス２６１と当接フランジ２３１１とに当接する。またさらに、２つの制限弾性プレート２４が存在し、制限弾性プレート２４の自由端にフック２４１が配され、後部リテーナ２６のボス２６１に、フック２４１に対応するクランプ隆起またはスロットが配される。好ましくは、後部リテーナ２６に、フック２４１に対応するスロットが配され、スロットは、フック２４１に対してクランプされる。具体的には、バネ２５はコイルバネである。２つの制限弾性プレート２４は、第２のセクション２３０３の第２のジャック２３３の縁に互いに対向して配される。後部リテーナ２６は、その断面がＴ形状の円筒であり、フック２４１は、各制限弾性プレート２４の比較的幅広い端部に配される。制限弾性プレート２４は、軸方向に対して垂直な方向におけるプラグコア２１の移動を限定してよい。バネ２５が伸びたとき、制限弾性プレート２４が、プラグコア２１に沿った後部リテーナの移動を限定し、それによって、プラグコアの組み立てへの影響を回避する。
【００５５】
本実施形態では、封止リング２８は、その断面が円形であるゴムリングである。好ましくは、封止リング２８を制限弾性プレート２３上によりしっかりと取り付けるべく、第２のセクション２３０３の外周表面が外側ネジ山に接する位置に、第１の溝が配され、封止リングは、第１の溝の内部でクランプされ、第１の溝から突出する。
【００５６】
さらに、プラグコア２１は、接続体２１１と、接続体２１１の一方の端に位置付けられたヘッド２１２とを含み、後部リテーナ２６は、プラグコア２１を被覆し、後部リテーナ２６の、ボス２６１が配された端は、ヘッド２１２と接続体２１１との間の接合部に位置付けられる。
【００５７】
図６および図８を参照すると、本発明のファイバプラグ３０は、コネクタ２０およびコネクタハウジング４０を備え、コネクタハウジング４０の一方の端に、開口部４１が配される。制限スリーブ２３の、第２のジャック２３３が配された端は、開口部４１を通ってコネクタハウジング４０に差し込まれる。本実施形態では、制限スリーブ２３の第２のセクション２３０３は、コネクタハウジング４０に差し込まれる。本実施形態では、好ましくは、キャビティに内側ネジ山が配され、内側ネジ山は、ネジ山を使用することによってコネクタ２０の篏合部に接続され、それによって、コネクタ２０とコネクタハウジング４０とをよりしっかりと接続する。本発明のファイバプラグ３０は、屋外でのファイバの直接的なルーティングと、ファイバが家までパイプラインを通り抜けるというシナリオとに適している。ファイバのルーティングが完了した後、ネットワークデバイスとの接続を実行すべく、その場でコネクタハウジング４０をコネクタ２０に取り付けることは極めて便利である。
【００５８】
図７を参照すると、さらに、コネクタハウジング４０の内部にキャビティ４２が形成され、コネクタハウジング４０の一方の端は、開口部４１であり、他方の端は貫通穴４３であり、開口部４１および貫通穴４３の両方は、キャビティ４２に通じ、キャビティ４２の内周表面に溝４０１が配され、溝４０１は、制限スリーブ２３を被覆する封止リング２８を収容するために使用される。本実施形態では、溝４０１は第１の溝に突き当たって封止リング２８をクランプする。封止リング２８は、コネクタ２０とコネクタハウジング４０との間の封止を効果的に実現し、外部がコネクタ２０を汚すことを防止する。
【００５９】
本実施形態では、コネクタハウジング４０は、コネクタ２０に取り付けられ、コネクタ２０と共に標準的なファイバプラグを形成する。プラグコア２１は、貫通穴４３から突出する。本実施形態では、ファイバプラグは、ＳＣタイプのファイバプラグである。
【００６０】
さらに、コネクタハウジング４０の、貫通穴４３が配された端に、保護部４４が配される。保護部４４は、ゴム材料で作られたキャップの形状をしており、コネクタハウジング４０の貫通穴４３に差し込まれ得る。
【００６１】
本発明の一実施形態において提供されるネットワークデバイスは、ファイバプラグ３０と、ファイバジャックを有するアダプタとを備え、ファイバプラグ３０のプラグコア２１は、アダプタのファイバジャックに差し込み方式で接続される。
【００６２】
上記において開示されたものは、本発明の例示的な実施形態に過ぎず、勿論、本発明の保護範囲を限定することは意図されていない。当業者ならば、上述の実施形態を実現する過程の全部または一部と、本発明の特許請求の範囲にしたがって成される均等な変更とが本発明の範囲内に当然に含まれることを理解し得る。
［項目１］
プラグ保護キャップであって、上記保護キャップは、本体、接続スリーブ、および牽引スタブを備え、上記本体に収容キャビティが配され、上記本体の一方の端の端面に、上記収容キャビティに通じる入口が配され、上記収容キャビティの内周表面の、上記入口の付近の位置にロック部が配され、上記接続スリーブの一方の端が、上記本体の、上記入口から離れた一方の端を着脱可能に被覆し、上記接続スリーブの他方の端は、上記牽引スタブの一方の端に回転可能に接続される、プラグ保護キャップ。
［項目２］
上記接続スリーブの両端に開口が配され、上記開口のうちの一方の開口の内周表面に第１の内側ネジ山が配され、上記本体の、上記入口から離れた上記端の外周表面に、上記第１の内側ネジ山に接続される第１の外側ネジ山が配される、項目１に記載のプラグ保護キャップ。
［項目３］
上記牽引スタブの上記一方の端の外周表面に第１のフランジが配され、上記接続スリーブの、上記第１の内側ネジ山から離れた他方の開口の内周表面に第２のフランジが配され、上記第１のフランジは、上記第２のフランジに対してクランプされ、上記第１のフランジは、上記第２のフランジに対して回転できる、項目２に記載のプラグ保護キャップ。
［項目４］
上記牽引スタブは柱状体であり、上記牽引スタブの、上記第１のフランジから離れた一方の端は尖り部であり、上記第１のフランジが配された上記端の内部に溝が配される、項目３に記載のプラグ保護キャップ。
［項目５］
上記ロック部は、内側ネジ山、フック、スロット、または弾性隆起のうちの１つである、項目１から４のいずれか一項に記載のプラグ保護キャップ。
［項目６］
上記本体は、一方の端が開き、他方の端が閉じられ、段々状のパターンを有するよう設計された中空の柱状体であり、上記入口が配された上記端の外周は、上記第１の外側ネジ山が配された上記端の外周より大きい、項目１から４のいずれか一項に記載のプラグ保護キャップ。
［項目７］
上記牽引スタブに貫通穴がさらに配される、項目１から４のいずれか一項に記載のプラグ保護キャップ。
［項目８］
光ファイバコネクタ組立体であって、上記光ファイバコネクタ組立体は、コネクタと、項目１から７のいずれか一項に記載のプラグ保護キャップとを備え、上記コネクタは、プラグコア、プラグコアホルダ、制限スリーブ、バネ、後部リテーナ、および封止リングを有し、
上記制限スリーブは、収容キャビティ、第１のジャック、上記第１のジャックに対向する第２のジャック、および少なくとも１つの制限弾性プレートを含み、上記第１のジャックおよび上記第２のジャックの両方は、上記収容キャビティに通じ、少なくとも１つの制限弾性プレートは、上記第２のジャックの縁に配され、上記制限スリーブの軸に平行な方向に延在し、上記封止リングは、上記制限スリーブの、上記第２のジャックが配された一方の端を被覆し、
上記制限スリーブの一方の端が、差し込み方式で上記プラグコアホルダに接続され、上記バネおよび上記後部リテーナは、上記プラグコアを被覆し、上記プラグコアは、上記プラグコアホルダおよび上記収容キャビティを通り抜け、上記第２のジャックから突出し、上記バネと上記後部リテーナの一部とが上記収容キャビティの中に位置付けられ、上記バネは、上記後部リテーナと上記収容キャビティとを接続し、上記少なくとも１つの制限弾性プレートは、上記後部リテーナに対してクランプされ、
上記プラグ保護キャップは、上記制限スリーブの、上記第２のジャックが配された上記端を被覆し、上記ロック部によって上記制限スリーブにロックされ、上記収容キャビティは、上記プラグコアの、上記第２のジャックから突出した部分を収容し、上記封止リングは、上記制限スリーブと上記プラグ保護キャップとを封止するために使用される、光ファイバコネクタ組立体。
［項目９］
上記制限スリーブの、上記第２のジャックが配された上記端の外周表面に、上記ロック部に対応する篏合部が配され、上記篏合部は、外側ネジ山、スロット、フック、または溝のうちの１つである、項目８に記載の光ファイバコネクタ組立体。
［項目１０］
上記収容キャビティの内周表面に当接フランジが配され、上記後部リテーナの一方の端の外周表面にボスが配され、上記バネの２つの端部は別々に、上記ボスおよび上記当接フランジに当接する、項目８または９に記載の光ファイバコネクタ組立体。
［項目１１］
上記プラグコアは、接続体と、上記接続体の一方の端に位置付けられたヘッドとを含み、上記後部リテーナは上記プラグコアを被覆し、上記後部リテーナの、上記ボスが配された上記端は、上記ヘッドと上記接続体との間の接合部に位置付けられる、項目１０に記載の光ファイバコネクタ組立体。
［項目１２］
２つの制限弾性プレートが存在し、上記制限弾性プレートの自由端にフックが配され、上記後部リテーナの上記ボスに、上記フックに適応可能なクランプ隆起またはスロットが配される、項目１０に記載の光ファイバコネクタ組立体。
［項目１３］
上記プラグコアホルダは、外側封止スリーブおよび内側圧着リングを含み、上記内側圧着リングは、上記外側封止スリーブの内周表面に密着することによって配され、上記内側圧着リングの軸方向長さは、上記外側封止スリーブの軸方向長さより短い、項目８から１２のいずれか一項に記載の光ファイバコネクタ組立体。
［項目１４］
ファイバプラグであって、上記ファイバプラグは、コネクタおよびコネクタハウジングを備え、上記コネクタハウジングの一方の端に開口部が配され、上記コネクタは、プラグコア、プラグコアホルダ、制限スリーブ、バネ、後部リテーナ、および封止リングを有し、
上記制限スリーブは、収容キャビティ、第１のジャック、上記第１のジャックに対向する第２のジャック、および少なくとも１つの制限弾性プレートを含み、上記第１のジャックおよび上記第２のジャックは、上記収容キャビティに通じ、上記少なくとも１つの制限弾性プレートは、上記第２のジャックの縁に配され、上記制限スリーブの軸に平行な方向に延在し、上記封止リングは、上記制限スリーブの、上記第２のジャックが配された一方の端を被覆し、
上記制限スリーブの、上記第１のジャックが配された一方の端が、差し込み方式で上記プラグコアホルダに接続され、上記バネおよび上記後部リテーナは、上記プラグコアを被覆し、上記プラグコアは、上記プラグコアホルダおよび上記収容キャビティを通り抜け、上記第２のジャックから突出し、上記バネと上記後部リテーナの一部とが上記収容キャビティの中に位置付けられ、上記バネは、上記後部リテーナと上記収容キャビティとを接続し、上記少なくとも１つの制限弾性プレートは、上記後部リテーナに対してクランプされ、
上記制限スリーブの、上記第２のジャックが配された上記端は、上記開口部を通って上記コネクタハウジングに差し込まれる、ファイバプラグ。
［項目１５］
上記コネクタハウジングの内部にキャビティが形成され、上記コネクタハウジングの一方の端は上記開口部であり、他方の端は貫通穴であり、上記開口部および上記貫通穴の両方は、上記キャビティに通じ、上記キャビティの内周表面に溝が配され、上記溝は、上記制限スリーブを被覆する上記封止リングを収容するために使用される、項目１４に記載のファイバプラグ。
［項目１６］
上記コネクタハウジングの、上記貫通穴が配された上記端に、保護部が配される、項目１４または１５に記載のファイバプラグ。
［項目１７］
上記収容キャビティの内周表面に当接フランジが配され、上記後部リテーナの一方の端の外周表面にボスが突出して配され、上記バネの２つの端部は別々に、上記ボスおよび上記当接フランジに当接する、項目１４から１６のいずれか一項に記載のファイバプラグ。
［項目１８］
上記プラグコアは、接続体と、上記接続体の一方の端に位置付けられたヘッドとを含み、上記後部リテーナは上記プラグコアを被覆し、上記後部リテーナの、上記ボスが配された上記端は、上記ヘッドと上記接続体との間の接合部に位置付けられる、項目１７に記載のファイバプラグ。
［項目１９］
２つの制限弾性プレートが存在し、上記制限弾性プレートの自由端にフックが配され、上記後部リテーナの上記ボスに、上記フックに適応可能なクランプ隆起またはスロットが配される、項目１７または１８に記載のファイバプラグ。
［項目２０］
上記プラグコアホルダは、外側封止スリーブおよび内側圧着リングを含み、上記内側圧着リングは、上記外側封止スリーブの内周表面に密着することによって配され、上記内側圧着リングの軸方向長さは、上記外側封止スリーブの軸方向長さより短い、項目１４から１９のいずれか一項に記載のファイバプラグ。
［項目２１］
上記制限スリーブの上記収容キャビティの内周表面に篏合部が配され、上記篏合部は、外側ネジ山、スロット、フック、または溝のうちの１つであり、上記篏合部は、上記コネクタハウジングの上記キャビティと嵌め合い得る、項目１４から１９のいずれか一項に記載のファイバプラグ。
［項目２２］
項目１４から２１のいずれか一項に記載のファイバプラグと、ファイバジャックを有するアダプタとを備えるネットワークデバイスであって、上記ファイバプラグのプラグコアは、上記アダプタの上記ファイバジャックに差し込み方式で接続される、ネットワークデバイス。
【図１】
0006567085.tif 000002
【図２】
0006567085.tif 000003
【図３】
0006567085.tif 000004
【図４】
0006567085.tif 000005
【図５】
0006567085.tif 000006
【図６】
0006567085.tif 000007
【図７】
0006567085.tif 000008
【図８】
0006567085.tif 000009